(57)【特許請求の範囲】
【請求項１】
表裏いずれを上にしても使用できる天板と、この天板を支持する支持体とを備えており、
前記天板には表裏に貫通した取付け穴が空いており、この取付け穴にずれ不能に嵌入したボス体と、このボス体とは別体のねじとで前記天板が支持体に固定されている家具であって、
前記取付け穴は、天板の表面側と裏面側との上下両端部が大径部に形成されている一方、
前記ボス体は、ねじが上方から嵌入するように筒状に形成されていると共に上端部には前記取付け穴の大径部に嵌まるフランジが形成されており、このボス体に上方から嵌入したねじによって天板を支持体に押さえ固定している、
リバーシブル天板を備えた家具。
【請求項２】
前記ボス体のボス体に嵌入したねじによって補助具を天板の上面又はボス体の上面に固定している、
請求項１に記載したリバーシブル天板を備えた家具。
【発明の詳細な説明】
【０００１】
【発明の属する技術分野】
本発明は、表裏いずれを上にしても使用できる天板（リバーシブル天板）を備えた家具に関するものである。
【０００２】
【従来の技術】
机やカウンターのように天板や化粧板を備えた家具において、天板の表面が傷付いても廃棄しなくても良いようにしたり、左右非対称形状の天板を右利き人用と左利き人用とに付け替えできるようにしたり、或いは使用者の好みによって表面デザインを選択できるようにしたりするため、天板や化粧板をリバーシブル構造とすることが行われている。
【０００３】
その例として、特開２０００−７４０１９号公報には、タンスのような家具において、薄板製のリバーシブルカバーを取付けるための手段として、リバーシブルカバーの取付け穴に装着されたるエスカッションと、エスカッション内に上下動自在に装着されたレバーと、レバーを位置決めする位置決め手段とを備えた装置が開示されている。
【０００４】
【発明が解決しようとする課題】
この従来技術は、リバーシブル材の位置決めを簡単に行える利点があるが、構造が著しく複雑でコストが嵩む点や、木製又は合板製のような中実天板には適用困難である点に問題があった。
【０００５】
また、リバーシブル材の取付け穴がかなり大きくなるため、机（テーブル）やカウンターのように大きな穴が表面に現れるのを嫌う家具には適用し難いという点も問題であった。
【０００６】
更に、机においてはサイドパネルのような補助部材を設けることが行われており、その場合、取付け用の金具類が必要となるが、前記従来技術を机の天板固定に転用した場合、天板の取付け装置はその目的にしか使用できないため、金具類はねじによって別に取付けなければならず、このため、加工費が嵩むと共に取付け作業の手間もかかっており、更に、金具を取り外すとねじ穴が露出して美感を損なうという問題があった。
【０００７】
本発明は、このような現状を改善することを目的とするものである。
【０００８】
【課題を解決するための手段】
本発明は、表裏いずれを上にしても使用できる天板と、この天板を支持する支持体とを備えており、前記天板には表裏に貫通した取付け穴が空いており、この取付け穴にずれ不能に嵌入したボス体と、このボス体とは別体のねじとで前記天板が支持体に固定されている家具において、前記取付け穴は、天板の表面側と裏面側との上下両端部が大径部に形成されている一方、前記ボス体は、ねじが上方から嵌入するように筒状に形成されていると共に上端部には前記取付け穴の大径部に嵌まるフランジが形成されており、このボス体に上方から嵌入したねじによって天板を支持体に押さえ固定している。
【００１０】
【００１１】
【００１２】
請求項２の発明では、請求項１において、前記ボス体に嵌入したねじによって補助具を天板の上面又はボス体の上面に固定している。
【００１３】
【発明の作用・効果】
本発明によると、天板の取付け穴を受け具のボスに嵌め込むことにより、天板を正確に位置決めすることができる。従って、ねじにより、天板を迅速にしかも正確な位置・姿勢に取り付けることができる。
【００１４】
また、構造は簡単であるためコストが嵩むことはなく、しかも、木製天板や合板製天板のような中実状の天板の固定にも支障無く適用することができる（むしろ、中実状天板の固定に適している）。また、取付け穴を大きくする必要はないため、机（テーブル）やカウンターのような筆記作業を行う家具に好適である点も優れている。
【００１５】
【００１６】
ところで、机のような家具を移動させる場合、天板の縁を掴んで持ち上げることがあり、従って、この場合はボス体には天板から下方に引き離すような大きな荷重が作用する。この点について、本願発明では、ボス体のフランジが天板における取付け穴の大径部に嵌まっているため、ボス体が天板から抜けるようなことはなく、天板の取付け強度が格段に高くなる利点がある。
【００１７】
請求項２のように構成すると、補助具は、天板固定用のねじを利用して取付けることができるため、天板に別途ねじをねじ込むような作業は不要となる。従って、補助具の取付けを簡単に行うことができ、かつ、補助具を取り外した後にねじ穴が露出して体裁が悪くなるようなこともない。
【００１８】
【発明の実施形態】
次に、本発明の参考例及び実施形態を図面に基づいて説明する。本実施形態及び参考例は家具の一例としての机に適用している。まず、第１参考例を説明する。
【００１９】
(1).第１参考例（図１〜図16）
図１〜図１６では第１参考例を示している。先ず、図１〜図１０に基づいて机の構造の概要を説明する。
【００２０】
図１は前方から見た斜視図、図２は右側部分の平面図、図３は右側面図、図４（Ａ）は後方から見た部分斜視図、図５は分離平面図、図７は構造材の分離斜視図、図８は分離右側面図、図９は部材の分離斜視図、図１０のうち（Ａ）は図２の XA-XA視断面図、（Ｂ）は幕板の平面図である。
【００２１】
机は、木製等の中実状の天板１と、天板１の右側部を支持する袖キャビネット２と、天板１の左側部を支持する側面視コ字状の脚体３と、背面に位置した幕板４とを備えている。必要に応じてバックパネルＢＰを取付けることができる。
【００２２】
天板１は右側部の前後長さよりも左側部の前後幅が大きい非対称状に形成されている。また、天板１は、表裏いずれを上にしても使用できるように、表裏両面にメラミン化粧板張りなどの処理が施されている。
【００２３】
(1)-1.継手
主として図５〜図６に示すように、天板１の左右両端部の後部下方には、アルミのような軽合金からなるブロック状の継手５を配置している。
【００２４】
継手５は、平面視で略四角形の基部６と、基部６から前方及び横方向に延びるサイド突起部７と、平面視で対角方向に延びるセンター突起部８と、基部６のうちセンター突起部８と反対側のコーナー部に立設した上向き筒状部９とを備えている。
【００２５】
センター突起部８の先端には、左右外向きの張り出し部８ａを設けている。また、上向き筒状部９は、平面視でセンター突起部８の中心線を挟んだ両側に振り分けたような形態になっており、平面視で全体として８字状になっている。上向き筒状部９は、バックパネルＢＰの左右両端に設けた足１０を差し込むためのものである（図７参照）。
【００２６】
例えば図４に示すように、上向き筒状部９はコーナーキャップ１１で覆われている。図６及び図７に示すように、継手５は平面視で対角方向に延びる線を挟んで対称に形成されている。従って、１種類の継手５を左右いずれの部位にも使用できる。
【００２７】
継手５におけるセンター突起部８の張り出し部８ａには、中空角形やＣ字状等の連結ビーム１２が嵌まるようになっており、この連結ビーム１２をねじで張り出し部８ａに固定することにより、隣合った継手５を連結できる。
【００２８】
継手５のサイド突起部７における中間部には、当該サイド突起部７を抉るような状態で切欠溝１３が形成されており、この切欠溝１３の箇所と先端のコーナー部とに、下向きに開口の係合段部１４が形成されている。また、サイド突起部７の先端寄り部位には、中心線に沿った部位とその内側とに端部ねじ穴１５が空いている。
【００２９】
袖キャビネット２と天板１との間には前後方向に延びるサイドフレーム１６が配置されている。サイドフレーム１６は上向き開口で断面逆凸形に形成されており、その後部に継手５のサイド突起部７が下方から嵌まっている。
【００３０】
サイドフレーム１６の後部には補強板１７が溶接によって固着されており、この補強板１７に継手５のサイド突起部７が上方から嵌まっている。補強板１７は下方からねじ込んだねじで継手５のサイド突起部７に固定されている。詳細は省略するが、継手５の下面には、サイドフレーム１６の後部の壁が嵌合する溝が形成されており、これによって正確に位置決めされている。
【００３１】
天板１の左側部を支持する脚３は側面視コ字状に形成されており、その上端には、サイドフレーム１６と同様の断面形状の上水平フレーム３ａが固定されている。そして、上水平へフレーム３ａの上面に継手５の基部６とサイド突起部７が重なっており、両者は、サイド突起部７に上方から挿入したねじで一体に固定されている（このため、継手５の基部６にねじ挿入穴１８が空いている）。
【００３２】
(1)-2.幕板
図９及び図１０に示すように、幕板４の上端には角形部４ａが折曲げ形成されており、左右側部には平面視鋭角状の折り返し部４ｂが形成されている。角形部４ａには下向き開口の上カバー２０が嵌め込み装着されている。図示していないが、幕板４には横長の補強部材を装着している。
【００３３】
上カバー２０を角形部４ａに装着するに当たっては、上カバー２０に切り起こし形成した爪２１を、角形部４ａに形成した係合穴２２に嵌め込んでいる。図１０（Ｂ）に示すように、角形部４ａと天板１との間にはある程度の空間が空いており、この空間の下方に配線受け樋２３を配置している。配線受け樋２３は左右の継手５又は幕板４に固定されている。
【００３４】
そして、角形部４ａと上カバー２０とには、前向きに開口した窓穴２４が左右適宜間隔で多数形成されており、この窓穴２４に弾性的に係合した合成樹脂製の支持具２５に受け樋カバー２６を装着している。
【００３５】
受け樋カバー２６は適当な長さに設定されており、任意の受け樋カバー２６を取り外すことによって、配線作業を行える。受け樋カバー２６と天板１との間には、コード類・ケーブル類を引き出せる隙間が空いている。
【００３６】
幕板４の角形部４ａと上カバー２０との端部には、継手５の上向き筒状部９と干渉しないように切り欠き２７が形成されており、かつ、角形部４ａには、コーナーキャップ１１ときっちり重なる端キャップ２８が嵌まっている。端キャップ２８は、ダボと穴との嵌合によって角形部４ａに取付けている。
【００３７】
図９に示すように、幕板４の左右折り返し部４ｂには補強板４ｃが固着されており、補強板４ｃに、折り返し部４ｂに跨がった状態でダルマ型穴２９を上下適宜間隔で形成している。
【００３８】
他方、袖キャビネット２の背面には、上下長手の帯板３０をねじで固定しており、この帯板３０のうち各ダルマ型穴２９に対応した部位に、前記ダルマ型穴２９の大径部には嵌合して小径部には抜け不能となる突起３１を設けている。左脚３の後面にも、突起３１を設けた帯板３０が装着されている。
【００３９】
従って、幕板４は、その左右のダルマ型穴２９を袖キャビネット２及び左脚３における帯板３０の突起３１に落とし込み嵌合させることにより、簡単に取り付けることができる。
【００４０】
なお、図７に一点鎖線で示すように、幕板４の角形部にリップ３２を設け、このリップ３２を継手５のサイド突起部７にねじで固定しても良い。或いは、リップ付きの補強フレームを継手５に固定し、この補強フレームに幕板４の上端部を嵌合させても良い。
【００４１】
(1)-3.天板の締結
次に、主として図１１〜１３、１５に基づいて天板１の取付け構造を説明する（図２や図８も参照）。
【００４２】
図１１は机の後部箇所の平面図（天板１を省略している）、図１２は図１１のXII-XII 視断面図、図１３は図１２のXIII−XIII視断面図、図１５は図２のXV−XV視断面図である。
【００４３】
天板１にはストレート状の取付け穴３４が空いており、この箇所で、合成樹脂製の受け具３５とくさび体３６とねじ（ビス）３７とによってサイドフレーム１６に固定される。
【００４４】
受け具３５は、サイドフレーム１６よりも幅広の基板３８と、その中心に立設したボス体３９とを備えており、ボス体３９は、継手５におけるサイド突起部７の中央部の端ねじ穴１８と同心状になっている。ボス体３９の外周には、天板１との摩擦抵抗を大きくするため山形の環状突起３９′を多数条形成している。
【００４５】
ボス体３９は上向き開口のスリット４０によって複数（例えば２〜６個）に割られており、かつ、内面は下方に向けて窄まるテーパ状になっている。他方、くさび体３６も下方に向かって窄まるテーパ状に形成されており、このため、くさび体３６を下方に押しやると、ボス体３９は半径外側に広がる（拡張する）。
【００４６】
受け具３５の基板３８は、サイドフレーム１６の上端部に形成した切り欠き部４１に嵌まっている。広い面積の基板３８で天板１が支持されるが、これは、天板１が傷つくのを防止するためである。基板３８と天板１との間にゴム製保護材を介在させても良い。
【００４７】
受け具３５には、継手５におけるサイド突起部７の係合段部１４に下方から引っ掛かり係合する４本の係止爪４２を下向きに突設している。この係止爪４２の挿入を可能とするため、サイド突起部７に切欠溝１３が形成されている。
【００４８】
いうまでもないが、受け具３５は上方から押圧するワンタッチ的な操作で、係止爪４２を係合段部１４に係合させることができ、これによって受け具３５は継手５のサイド突起部７に離脱不能に保持される。
【００４９】
図１５に示すように、サイドフレーム１６の前端寄り部位にも受け具３５が取付いている。但し、サイドフレーム１６の前端部には継手５は存在しないので、その内部に側面視下向き開口コ字状のブラケット４３を溶接等によって固定し、このブラケット４３に、受け具３５の係止爪４２が係合する係合穴４４を形成している。ブラケット４３の上部はサイドフレーム１６の左右全幅にわたって延びている。
【００５０】
脚３の上水平部３ａにも、サイドフレーム１６と全く同じ状態で前後２個の受け具３５が固定されている。天板１の取付け穴３４は着脱自在なキャップ４５で塞がれている。
【００５１】
受け具３５のボス体３９は、外力が加えられていない状態で天板１の取付け穴３４より僅かに小径となるように設定されている。従って、天板１の嵌め込みを容易に行える。
【００５２】
そして、ねじ３７を継手５の端部ねじ穴１５にねじ込んでくさび体３６を下方に押しやると、くさび作用によって受け具３５のボス体３９が半径外向きに拡張して、ボス体３９が取付け穴３４の内面に押圧される。これにより、天板１をサイドフレーム１６及び左脚３に固定することができる。
【００５３】
ねじ３７をねじ戻してくさび体３６を抜き外すと、受け具３５のボス体３９は元の状態に縮径するため、天板１を簡単に取り外すことができる。従って、天板１をひっくり返した状態で使用することを、簡単に行える。
【００５４】
なお、本参考例では、天板１の左側と右側とで前後取付け穴３４の位置が異なっているため、天板１をひっくり返して使用する場合は、サイド突起部７と脚３とを左右に付け替えることになる。天板１の左右両側で取付け穴３４の前後位置を同じに設定しておけば、天板１のみをひっくり返して使用できる。
【００５５】
(1)-4.袖キャビネットの取付け
次に、図２や図８に加えて図１４及び図１６も参照して袖キャビネット２の取付けについて説明する。図１４は図１２のXIV-XIV 視断面図、図１６は図２の XVI-XVI視断面図である。
【００５６】
これらの図に示すように、袖キャビネット２の上面には、サイドフレーム１６の細巾部１６ａに下方からきっちり嵌合する前後２個のスペーサブロック４８と、連結ビーム１２に下方からきっちり嵌合する１個のスペーサブロック４８とが配置されており、これらスペーサブロック４８と連結ビーム１２とサイドフレーム１６と袖キャビネット２とはねじ４９で共締めされている。
【００５７】
このように、平面視で直交した方向に延びるサイドフレーム１６と連結ビーム１２とにスペーサブロック４８が嵌合しているため、袖キャビネット２は正確に位置決めされている。また、サイドフレーム１６と連結ビーム１２とに締結されているため、例えば天板１を持ち上げて机を移動させるに際して袖キャビネット２も一緒に持ち上げることができ、このため移動が簡単である。
【００５８】
なお、スペーサブロック４８は、サイドフレーム１６や連結ビーム１２を締結するねじ４９とは別のねじで予め袖キャビネット２の上面に固定しておいても良い。この場合は、袖キャビネット２の位置決めが一層容易になる利点がある。
【００５９】
本参考例では、サイドフレーム１６における細巾部１６ａの幅寸法Ｗ１と連結ビーム１２の幅寸法Ｗ２とが異なっているため、スペーサブロック４８に、溝幅の異なる２条の溝４８ａ，４８ｂを直交した方向に形成している。このため、１種類のみのスペーサブロック４８で足りる。
【００６０】
本参考例のような万能型の継手５を使用すると、１種類の継手５を使用しつつ、その個数や配置、或いは連結ビーム１２の本数などを適宜選択することにより、骨組みを共通化した状態で様々の平面形状の机を製造することができる。すなわち、天板１は様々に平面形状が異なっても、その支持構造の多くを共通化することができる。
【００６１】
(2).第２参考例（図17）
図１７では第２参考例を示している。この参考例では、サイドフレーム１６に受け具３５をねじ３７で固定し、ボス体３９に、雄ねじ部３６ａ付きのくさび体３６を嵌め入れている。
【００６２】
くさび体３６の上端には、ドライバやコインのような回転具が嵌まる係合穴３６ｂを形成している。この参考例では、部材点数を低減できる。また、くさび体３６のねじ戻しによってボス体３９は必ず縮径するため、天板１の取り外しを一層確実に行える。
【００６３】
サイドフレーム１６には下向き開口の溝５０が形成されており、このため、スペーサブロック４８には突起４８ｃを設けている。突起４８ｃには、連結ビーム１２に嵌合する溝４８ｂが形成されている。
【００６４】
天板の取付け穴の中途高さ部位に小径部を形成し（すなわち、小径部を挟んだ上下両側に大径部を形成し）、下方の大径部にボスが嵌まるように設定し、このボス体３９に、小径部をねじで締結しても良い。
【００６５】
(3).第１実施形態（図18〜図29）
図１８〜２９では、第１実施形態を示している。第１参考例と同じ部分は同じ符号を付している。図１８は全体のおおまかな斜視図であり、この図に示すように、本実施形態では、天板１は左右の脚体３によって支持されており、脚３は側面視でコ字状（或いは、Ｌ形の本体にサイドフレーム１６を設けた形態）に構成されている。
【００６６】
また、複数の机を左右に並設しており、かつ、両机にはそれぞれバックパネルＢＰを取付けると共に、隣合った机に跨がった状態でサイドパネルＳＰを配置している（すなわち左右の机でサイドパネルＳＰを共有している）。以下、各部位の構造を詳述する。
【００６７】
(3)-1.天板の取付け
まず、天板１の取付けについて、図１９〜図２３に基づいて説明する。ここでは、天板１の前部の固定について説明する。
【００６８】
図１９は要部の分離斜視図、図２０は図１８のXX−XX視断面図、図２１は図２０の XXI-XXI視断面図、図２２は一部破断平面図、図２３はサイドパネルＳＰを取付けない場合の縦断正面図である。
【００６９】
本例では、脚３のサイドフレーム１６は金属板製であり、断面上向き開口のＵ字状に形成されており、先端にはフロントキャップ５２（図２１参照）を装着している。
【００７０】
図１９や図２０に示すように、天板１における取付け穴３４には、表面側と裏面側とに大径部３４ａが形成されている。他方、本例では受け具３５と筒状のボス体３９とは別体に構成されており、ボス体３９には、取付け穴３４の大径部３４ａに対応したフランジ３９ａが形成されている。
【００７１】
また、ボス体３９のうちフランジ３９ａを設けている側には、ねじ３７の頭が嵌まる凹所３９ｂが形成されている。更に、凹所３９ｂには環状溝３９ｃが形成されている。
【００７２】
受け具３５は、第１参考例と同様の基板３８と、左右一対の係止爪４２とを備えている。また、ボス体３９の下端部が嵌まる筒部３５ａを備えている。図２０に示すように、筒部３５ａは天板１における取付け穴３４の大径部３４ａに嵌まっており、このため天板１に対する位置決め機能が高い。
【００７３】
受け具３５は、サイドフレーム１６の内部に装着した側面視略下向き開口コ字状のフロントブラケット４３に載っており、フロントブラケット４３には、係止爪４２が係合する左右一対の係合穴４４を形成している。また、フロントブラケット４３には、締結用のねじ３７がねじ込まれる雌ねじ部５３（バーリング部）を形成している（ナットを溶接しても良い）。
【００７４】
フロントブラケット４３は溶接によってサイドフレーム１６の内面に固定されているが、溶接を容易にするため、サイドフレーム１６の内面や底面に重なるサイドフラップ４３ａとロアーフラップ４３ｂを設けている。また、位置決めのため、ロアーフラップ４３ｂに突起５４を膨出形成している一方、サイドフレーム１６には、突起５４が嵌まる穴５５を空けている。
【００７５】
机にサイドパネルＳＰを取付ける場合は、受け金具５６が使用される。この受け具５６は、ボス体３９の凹所３９ａに嵌入すると共に皿頭のねじ３７が嵌まる下窄まりのテーパ部５６ａと、サイドパネルＳＰが載る受け部５６ｂとを備えており、受け部５６ｂには、皿頭のビスが下方から嵌まる３個のねじ挿入穴５７を形成している。
【００７６】
受け金具５６の受け部５６ｂは天板１の外側にはみ出るように形成されており、ねじ挿入穴５７は、平面視で天板１の側面に沿って延びている。図２０から理解できるように、ねじ３７をフロントブラケット４３の雌ねじ部５３にねじ込むと、天板１はサイドフレーム１６に強固に締結される。
【００７７】
この場合、ボス体３９のフランジ３９ａが取付け穴３４の大径部３４ａに嵌まっているため、天板１を掴んで持ち上げても、ボス体３９が抜けることはなく、机を持ち上げることができる。
【００７８】
サイドパネルＳＰを取付けない場合は、図２３に示すように、ボス体３９はキャップ４５で塞がれる。この場合、締結用のねじ３７は鍋頭のねじを使用している。そして、キャップ４５に下向き突設した筒部４５ａをねじ３７の頭に嵌合させることにより、キャップ４５を位置決めしている。また、筒部４５ａの嵌入深さを確保するため、前記したように、ボス体３９の凹所３９ａに環状溝３９ｂを形成している。
【００７９】
(3)-2.サイドパネルの取付け
図２０〜２１に示すように、サイドパネルＳＰは、前後一対の支柱（縦フレーム）５８と、上端を構成する笠木（上フレーム）５９と、下端を構成する巾木（下フレーム）６０とで骨組みが構成されており、この骨組みの内側に、芯板６１とその両側に重ねた表層板６２とを配置している。表層板６２はインシュレータのようなピンナップ性を備えた軟質材からなっており、表面にはクロスを張っている。
【００８０】
もちろん、パネルＳＰ，ＢＰの構造は自由に設定することができ、例えば、耐火性表層板６２に金属製化粧板を張った構造などでもよい。
【００８１】
支柱５８は押し出し加工によって中空状に形成されており、平面視でハート形でかつ、表層板６２の間の空間に嵌まる嵌入部６２ａを備えている。嵌入部６２ａには２条の縦溝６３が形成されており、この縦溝６３にねじ込んだビス６３により、笠木５９と巾木６０とを固定している。
【００８２】
また、支柱５８のうちハート形の部分には、Ｌ形補強板６５の垂直部が嵌合する第１蟻溝６６と、平面視で斜め側方に開口した２条の第２蟻溝６７ａと、平面視でサイドパネルＳＰの長手中心線に沿って外向き開口する第３蟻溝６７ｂとが形成されている。
【００８３】
Ｌ形補強板６５の水平部は巾木６０の内部に入り込んでおり、このＬ形補強板６５に、受け金具５６をねじ６８で締結している。この場合、受け金具５６には２個の穴５７が形成されているが、Ｌ形補強板６５には２個のねじ穴が空いている。これは、サイドパネルＳＰに長さの違うものが複数種類あったり、天板１に前後幅の違うものが複数あったりすることに対応させるためである。
【００８４】
支柱５８の下端には、当該支柱５８よりもやや広巾の受け座６９を嵌着している。また、支柱５８の上端にキャップ５８ａを装着している。更に、巾木６０は天板１と重なるように設定されているが、受け金具５６と干渉しないように、受け金具５６と重なる部位は切欠いている。
【００８５】
受け金具５６の下面には、天板１の傷付きを防止するため、ゴムのような軟質材からなるシール材７０を重ねている。シール材７０は単に重ねただけでも良いし、接着剤で受け金具５６に接着しておいても良い。
【００８６】
(3)-3.継手及びその周辺の構造
次に、図２４〜２７を参照して、継手５とこれに関連した構造を説明する。
【００８７】
図２４のうち（Ａ）は机の後部の分離側面図、（Ｂ）は（Ａ）のＢ−Ｂ視断面図、図２５は継手５の斜視図、図２６のうち（Ａ）は継手５とサイドフレーム１６との分離平面図、（Ｂ）はサイドフレーム１６を継手５に固定した状態でのＢ−Ｂ視断面図、図２７のうち（Ａ）はコーナーキャップ１１を裏返した状態の斜視図、（Ｂ）はコーナーキャップ１１を装着した状態での図２５の XXVII-XXVII視断面図である。
【００８８】
継手５の基本的な形態は第１参考例と同様であるが、第１参考例とは異なって、継手５のうち対角線に沿って延びる部位に段付きの突起７２を設けている。他方、コーナーキャップ１１には、前記突起７２に嵌合する筒部７３を下向きに突設している。これにより、コーナーキャップ１１の安定性を飛躍的に向上できる。
【００８９】
また、図２７に示すように、コーナーキャップ１１のうち角部寄りの部位には爪７４を下向きに突設し、この爪７４を、継手５における上向き筒状部９の背面に形成した係合段部７５に係合させている。このため、コーナーキャップ１１は簡単に外れることはない。また、コーナーキャップ１１には、継手５の上向き筒状部９の前面に当たるストッパー７６と、補強用リブ７７とを形成している。
【００９０】
図２６に示すように、サイドフレーム１６の後部にはリアブラケット４３′を溶接によって固定している。このリアブラケット４３′は、天板１の取付けと、継手５への固定との機能を兼用しており、雌ねじ部５３を設けている。
【００９１】
また、継手５は後ろ向きに長く延びており、これに、サイド突起部７に下方から嵌合する段違い状支持部４３ｃを形成しており、この段違い状支持部４３ｃに、２本のねじ７８で継手５のサイド突起部７を締結している。従って、継手５の下面も段違い状に形成されている。また、継手５のうちサイド突起部７よりも後方の基部は、サイドフレーム１６を包む状態に形成されている。
【００９２】
図２４（Ｂ）に示すように、脚２の本体部は中空状に形成されており、サイドフレーム１６は、脚２の中空部に上方から嵌合しており、両者は溶接によって一体に固定されている。
【００９３】
(3)-4.サイドパネル及びバックパネルの連結
図１８の XXVIII-XXVIII視断面図である図２８（Ａ）に示すように、バックパネルＢＰもサイドパネルＳＰも同じ構造になっている。
【００９４】
そして、隣合ったバックパネルＢＰについては、その第３蟻溝６７ａに連結体７９を嵌め込むことによって連結しており、また、隣合ったバックパネルＢＰとサイドパネルＳＰとは、第２蟻溝６７ｂに連結体７９を嵌め込むことによって連結している。
【００９５】
連結体７９は上下方向に長く延びており、図２８（Ｂ）に明示するように、平面視での一端部と両端部とに、第２蟻溝６７ａ又は第２蟻溝６７ｂにきっちり嵌まるホゾ部７９ａが形成されており、平面視での中間部には、隣合ったパネルＳＰ，ＢＰの間隔を規制するためのストッパー突起７９ｂを形成している。
【００９６】
このような連結体７９を使用することにより、サイドパネルＳＰやバックパネルＢＰを安定した状態に保持できる。
【００９７】
(3)-5.幕板
図２９では幕板４の構造を表示している。第１参考例では上カバー２０の端部に端キャップ２８を固着していたが、本実施形態では端キャップ２８を使用せずに、上カバー２０をコーナーキャップ１１の箇所まで延長し、その先端部に、コーナーキャップ１１が重なる段違い部２０ａを形成している。
【００９８】
また、幕板４の左右両端部は、第１参考例のように補強板４ｃは使用しておらず、折り返し部４ｂのみによって中空状に形成しており、折り返し部４ｂには、幕板４の裏面に重なる重合部４ｄが一体に形成されている。
【００９９】
重合部４ｄは、スポット溶接によって幕板４の本体部に固定しても良いし、接着剤によって接着しても良い。
【０１００】
幕板４として化粧鋼板を使用している場合、スポット溶接すると熱によって塗装が剥がれたり変色したりしてしまい、化粧機能が損なわれる。他方、重合部４ｄに接着剤を塗布したり両面テープを貼着してからから曲げ加工することも考えられるが、これらは加工が面倒である。
【０１０１】
この点について、本実施形態では、重合部４ｄに上下適宜間隔で複数のポケット部８０を膨出形成して、各ポケット部８０に小穴８１を空けている。このようにすると、例えばディスペンサー等の注入具８２を使用する等してポケット部８０に接着剤Ｆを注入することにより、重合部４ｄを本体部に簡単に固定することができる。
【０１０２】
なお、ポケット部８０は机の内部に面しているので外部からは見えず、このため体裁が悪化することはない。
【０１０３】
(4).第２実施形態（図30〜図31）
図３０及び図３１では、袖キャビネット２で天板１を支持する場合の第２実施形態を示している。図３０は分離側面図、図３１のうち（Ａ）は分離斜視図、（Ｂ）は（Ａ）のＢ−Ｂ視断面図である。
【０１０４】
この実施形態は、机の基本的構成は第１参考例と同様であり、サイドフレーム１６はスペーサブロック４８を介して支持されている。また、天板１は第１実施形態と同じボス体３９と受け具３５とによってサイドフレーム１６に固定される。
【０１０５】
この実施形態では、サイドフレーム１６は軽合金の押し出し加工によって製造されており、その下部は、スペーサブロック４８の溝４８ｃに嵌まる細幅部１６５ａが形成されている。
【０１０６】
また、サイドフレーム１６の内部には、受け具３５が載る平板部１６ｂを形成しており、この平板部１６ｂに、受け具３５を取付けるための係合穴４４と、ねじ３７がねじ込まれる雌ねじ部５３とを形成している。
【０１０７】
本実施形態では、スペーサブロック４８には溝４８ｃは１条だけしか形成されていない。従って、サイドフレーム１６の細幅部１６ａと連結ビーム１２との幅寸法を同じ寸法に設定することにより、１種類のスペーサブロック４８で足りるように配慮している。
【０１０８】
また、スペーサブロック４８には位置決め用の突起８３を形成し、袖キャビネット２の上面の所定位置に、前記突起８３が嵌まる位置決め穴８４を空けている。なお、スペーサブロック４８は合成樹脂製としているが、アルミダイキャストなどの金属製としても良い。
【０１０９】
なお、本実施形態では、サイドフレーム１６と継手５との連結は、図３０に示す中間部材８５を介して行われる（基本的には第１実施形態と同様である）。
【０１１０】
(5).第３実施形態（図32〜図34）
図３２〜図３４では第３実施形態を示している。図３２は側面図、図３３のうち（Ａ）は図３２の XXXIII-XXXIII視断面図、（Ｂ）は（Ａ）のＢ−Ｂ視部分断面図、図３４のうち（Ａ）は部材の分離側面図、（Ｂ）は分離正断面図、（Ｃ）は部材の部分的な斜視図である。
【０１１１】
この実施形態では、脚３は、前後２本の縦足３ａとその上端間に連結されたサイドフレーム１６とで側面視門形に形成されており、サイドフレーム１６は第２実施形態と同じ断面形状である。従って、天板１の固定にも、第１実施形態や第２実施形態と同様の受け具３４とボス体３９とを使用している（従って、天板１の固定手段の説明は省略する）。
【０１１２】
サイドフレーム１６の左右端部と縦足３ａの上端部とには、互いに嵌合するように切欠かれている。図面では省略しているが、サイドフレーム１６はねじで縦足３ａに固定されている。
【０１１３】
前後の縦足３ａは、軽金属の押し出し加工によって平断面略涙滴状で中空状に形成されており、前後対称に配置されている。そして、前後縦足３ａの上下中途高さ部位は補強横桟８６によって連結されている。
【０１１４】
縦足３ａのうち平面視で曲率の大きい曲面部には、外向き蟻溝８７が形成されている。この外向き蟻溝８７に、第１参考例で述べた帯板３０を落下不能に嵌め込んで、これで幕板４を支持するようになっている。
【０１１５】
また、縦足３ａの内部には、当該縦足３ａの内部を横切る方向に延びる内向き蟻溝８８が形成されており、この内向き蟻溝８８に、側面視Ｌ形の補強金具８９の垂直部が嵌合している。図３４に示すように、補強金具８９の水平部はサイドフレーム１６の内部に嵌入しており、ねじ９０でサイドフレーム１６に固定されている。
【０１１６】
補強横桟８６は押し出し加工によって略矩形の中空状に形成されており、その内部には円弧状の長溝９７が形成されている。他方、前後縦足３ａには、補強横桟８６の端部が嵌合する切欠き９１が形成されている。
【０１１７】
前記補強金具８９の下端は、補強横桟８６の左右幅寸法よりも小さい間隔の切り開き溝９２を下向き開口するように形成することによって二股部９３となっている一方、補強横桟８６の手前側の端部には、補強金具８９の二股部８９ａが前後ずれ不能に嵌まる係合溝９４が形成され、補強横桟８６の後ろ側の端部は、補強金具８９の二股部８９ａが前後同可能に嵌まる細幅部８９ａに形成されている。
【０１１８】
そして、後部の縦足３ａのうち外向き蟻溝８７の箇所に貫通した穴を介して、ねじ９５を補強横桟８６の長溝９２にねじ込んでいる。この場合、補強横桟８６の前端部は全部の縦足３ａに嵌まった補強金具８９に係合しているため、１本のねじ９５を締め込むだけで、補強横桟８６で前後の縦足３ａを連結することができる。
【０１１９】
もちろん、前後の縦足３ａにねじ９５を貫通させても良いが、本例では、人目につかない後部の縦足の後面にねじ９５の頭が露出しているに過ぎないため、美感の悪化を防止できる点で優れている。
【０１２０】
(6).その他
本発明は、上記の実施形態の他にも具体化できる。
【０１２１】
例えば、天板を締結するための締結手段としてねじを使用する場合、六角頭付きねじや六角穴付きねじなど、様々の態様のねじ（ボルト，ビス）を使用できることは言うまでもない。
【０１２２】
また、実施形態のように受け具を使用する場合、その具体的な構造や素材などは、必要に応じて様々に具体化できる。受け具はフレーム等の支持体に一体に設けても良い。
【０１２３】
請求項２に記載した補助具としては、実施形態のようなパネル取付け用の受け金具に限定されるものではなく、例えば左右に並設した机を連結するための連結金具や棚の支持金具など、様々なものが考えられる。
【０１２４】
【図面の簡単な説明】
【図１】第１参考例に係る机を前方から見た斜視図である。
【図２】机の右側部分の平面図である。
【図３】机の右側面図である。
【図４】（Ａ）は机を後方から見た部分斜視図、（Ｂ）はコーナーキャップの斜視図である。
【図５】机の骨組みを示す分離平面図である。
【図６】分離平面図である。
【図７】分離斜視図である。
【図８】要部の分離右側面図である。
【図９】幕板を示す分離斜視図である。
【図10】 (A)は図２の XA-XA視断面図、 (B)は幕板の部分平面図である。
【図11】天板を省略した状態での机の後部箇所の平面図である。
【図12】図１１のXII-XII 視断面図である。
【図13】図１１及び図１２のXIII−XIII視断面図である。
【図14】図１１のXIV-XIV 視断面図である。
【図15】図２のXV−XV視断面図である。
【図16】図２の XVI-XVI視断面図である。
【図17】第２参考例を示す断面図である。
【図18】第１実施形態のおおまかな斜視図である。
【図19】要部の分離斜視図である。
【図20】図１８のXX−XX視断面図である。
【図21】図２０の XXI-XXI視断面図である。
【図22】一部破断平面図である。
【図23】サイドパネルＳＰを取付けない場合の要部縦断正面図である。
【図24】 (A)は机の後部の分離側面図、 (B)は (A)の B-B視断面図である。
【図25】継手の斜視図である。
【図26】 (A)は継手とサイドフレームとの分離平面図、 (B)はサイドフレームを継手５に固定した状態での B-B視断面図である。
【図27】 (A)はコーナーキャップを裏返した状態の斜視図、 (B)はコーナーキャップを装着した状態での図２５の XXVII-XXVII視断面図である。
【図28】 (A)は図１８の XXVIII-XXVIII視断面図、(B)は連結体の平面図である。
【図29】幕板の構造を示す図である。
【図30】第２実施形態の分離側面図である。
【図31】 (A)は分離斜視図、 (B)は (A)の B-B視断面図である。
【図32】第３実施形態の側面図である。
【図33】 (A)は図３２の XXXIII-XXXIII視断面図、 (B)は (A)の B-B視部分断面図である。
【図34】 (A)は部材の分離側面図、 (B)は分離正断面図、 (C)は補強金具の部分的な斜視図である。
【符号の簡単な説明】
１  天板
２  袖キャビネット
３  脚
４  幕板
５  継手
１６  サイドフレーム
３４  取付け穴
３５  受け具
３９  ボス体
４８  スペーサブロック
５６  補助具の一例としての受け金具
ＳＰ  補助部材の一例としてのサイドパネル
【図１】
0003879835.tif 000002
【図２】
0003879835.tif 000003
【図３】
0003879835.tif 000004
【図４】
0003879835.tif 000005
【図５】
0003879835.tif 000006
【図６】
0003879835.tif 000007
【図７】
0003879835.tif 000008
【図８】
0003879835.tif 000009
【図９】
0003879835.tif 000010
【図１０】
0003879835.tif 000011
【図１１】
0003879835.tif 000012
【図１２】
0003879835.tif 000013
【図１３】
0003879835.tif 000014
【図１４】
0003879835.tif 000015
【図１５】
0003879835.tif 000016
【図１６】
0003879835.tif 000017
【図１７】
0003879835.tif 000018
【図１８】
0003879835.tif 000019
【図１９】
0003879835.tif 000020
【図２０】
0003879835.tif 000021
【図２１】
0003879835.tif 000022
【図２２】
0003879835.tif 000023
【図２３】
0003879835.tif 000024
【図２４】
0003879835.tif 000025
【図２５】
0003879835.tif 000026
【図２６】
0003879835.tif 000027
【図２７】
0003879835.tif 000028
【図２８】
0003879835.tif 000029
【図２９】
0003879835.tif 000030
【図３０】
0003879835.tif 000031
【図３１】
0003879835.tif 000032
【図３２】
0003879835.tif 000033
【図３３】
0003879835.tif 000034
【図３４】
0003879835.tif 000035